(57)【要約】【課題】電子製品の有限空間を利用でき、圧力或いは正向力を増加できるオーディオコンセントの改良構造を提供する。【解決手段】コンセントは、絶縁本体１０、数個の電気端子２１、電気端子２２、電気端子２３、電気端子２４、封じ板２０及び金属ケース３０で構成されている。コンセントの末端面１３は傾斜面構造であって、傾斜面構造は長さが異なる両対応壁面及び比較的に長い側の対応壁面から比較的に短い側の対応壁面に連接する両傾斜側壁面を有し、四つの壁面は相互に連接して成形されている。コンセントの傾斜末端に数個の差込脚片及びケースの脚片３２が突出して、差込脚片及びケースの脚片３２は一方向へ少々の角度で曲がって、絶縁本体１０の挿溝１２の頂端に限位孔が設けられている。【選択図】図１
0003126425.tif 000002
【実用新案登録請求の範囲】
【請求項１】
絶縁本体（１０）、数個の電気端子（２１）、電気端子（２２）、電気端子（２３）、電気端子（２４）、封じ板（２０）及び金属ケース（３０）で構成されているオーディオコンセントの改良構造であって、
前記絶縁本体（１０）の末端面（１３）は傾斜面構造であって、前記傾斜面構造は長さが異なる両対応壁面及び比較的に長い側の対応壁面から比較的に短い側の対応壁面に連接する両傾斜側壁面を有し、四つの壁面は相互に連接して成形され、傾斜末端に数個の差込脚片（２１２）、差込脚片（２２２）、差込脚片（２３１）、差込脚片（２４１）及びケースの脚片（３２）が突出して、前記差込脚片（２１２）、差込脚片（２２２）、差込脚片（２３１）、差込脚片（２４１）及びケースの脚片（３２）は一方向へ所定の角度で曲げられ、前記絶縁本体（１０）の挿溝の頂端に前記電気端子の自由頂端と合わせて作用する限位孔（１３１１）が設けられていることを特徴とするオーディオコンセントの改良構造。
【請求項２】
前記挿溝は、第一挿溝（１３１）及び第二挿溝（１３２）を含むことを特徴とする請求項１に記載のオーディオコンセントの改良構造。
【請求項３】
前記限位孔（１３１１）は、第一挿溝（１３１）の頂端に設けられていることを特徴とする請求項２に記載のオーディオコンセントの改良構造。
【請求項４】
前記限位孔（１３１１）は、第二挿溝（１３２）の頂端に設けられていることを特徴とする請求項２に記載のオーディオコンセントの改良構造。
【請求項５】
前記金属ケース（３０）は、長さが異なる両対応壁面及び比較的に長い側の対応壁面から比較的に短い側の対応壁面に連接する両傾斜側壁面を有し、四つの壁面は相互に連接して成形されていることを特徴とする請求項１に記載のオーディオコンセントの改良構造。
【考案の詳細な説明】
【技術分野】
【０００１】
本考案は、オーディオコンセントの改良構造に関し、特に、コンセント末端面の傾斜構造を介して、十分に電子製品の有限空間を利用する目的を達成する。
【背景技術】
【０００２】
音の効果を生じるオーディオコンセントは、視聴産業に既に広く使用されて、その主要な効果は、電子通信の製品が有効に信号の伝送を行うことを提供して、しかしながら、電子製品の効果を解決すると同時に、十分に当該製品の外観の構造と構造の変化を考えるのは、非常に重要である。
消費性の電子製品がだんだん軽薄で小さくなることに適応するために、現有の当該電子製品の実行変革または組立て直しが非常に目立つ。例えば、本考案は、電子製品間の構造改良と合わせること及び有効に結合の技術方案を利用して、有効に有限な空間を占用することを実現して、電子製品の体積を減らし、或いは、占用空間を減らす目的を達成する。
【考案の開示】
【考案が解決しようとする課題】
【０００３】
本考案の主な目的は、オーディオコンセントの改良構造を提供して、特に、コンセント末端面の傾斜構造を介して、便利に基板と結合することで、十分に電子製品の有限空間を利用する目的を達成する。
本考案のもう一つの目的は、オーディオコンセントの改良構造を提供して、特に、絶縁本体の挿溝を電気端子の自由頂端の構造と合わせることを介して、予定された圧力（Predetermined Pressure）或いは正向力（normal force）を増加する良好な効果を実現できる。
【課題を解決するための手段】
【０００４】
上述の目的から分かるように、本考案によるオーディオコンセントの改良構造を創作するのは、下記の技術で実現できる。当該オーディオコンセントは、絶縁本体、数個の電気端子、封じ板及び金属ケース等の部品で構成されて、その中、当該絶縁本体の基本部は矩形体を呈して、矩形体の前端は長方形体と相互に貫通する円柱筒形の対接部が突出して、当該矩形体の末端面は傾斜態様の設計であって、即ち、当該矩形体は長さが異なる両対応壁面及び比較的に長い側の対応壁面から比較的に短い側の対応壁面に連接する両傾斜側壁面を有して、四つの壁面は相互に連接して成形されている。当該矩形体の末端面は、内部へ向かって凹入して、それぞれ第一挿溝、第二挿溝、第三挿溝及び第四挿溝を形成して、当該等の挿溝は電気端子組の各端子が差し込まれる。第一挿溝、第二挿溝の頂端におのおの限位孔（Restraint hole）を設けて、これらの限位孔（Restraint hole）にそれぞれ第一端子、第二端子の自由頂端を合わせて、それによって、当該コンセントが対応するプラグ装置と接続する時の予定された圧力（Predetermined Pressure）或いは正向力（normal force）を増加する。
【０００５】
当該電気端子組は、数個の異なる態様の電気端子で構成されて、その中、第一端子は絶縁本体の第一挿溝から組み立てて、しかも端子の自由頂端は第一挿溝の限位孔（Restraint hole）内に押し動き、当該第二端子は第二挿溝に組み立てて、当該第三端子は第四端子とスイッチ端子と組み立て、それはそれぞれ絶縁本体の第三挿溝及び第四挿溝に組み立てられて、当該組み立てた後の第一端子、第二端子、第三端子、第四端子の差込脚片は絶縁本体の傾斜態様の末端と合わせるために、同じ方向へ少々の角度で曲がって、それによって、便利に基板（ＰＣＢ）に接続できる。
【０００６】
当該金属ケースは、金属板材でパンチング成形（punching & forming）された枠体の構造であって、絶縁本体をつないで、枠体の末端面は絶縁本体の末端面と同じ傾斜態様を呈して、即ち、当該枠体は長さが異なる両対応壁面及び比較的に長い側の対応壁面から比較的に短い側の対応壁面に連接する両傾斜側壁面を有して、四つの壁面は相互に連接して成形されている。当該枠体の長さが異なる両対応壁面の末端に数個のケースの脚片が突出して、当該ケースの脚片はコンセント末端の傾斜面に沿って同じ方向へ少々の角度で曲がって、それによって、便利に基板（ＰＣＢ）に接続できる。
【考案を実施するための最良の形態】
【０００７】
本考案の構造特徴と効果をもっと詳しく理解するため、茲に添付した図面を合わせて、好ましい実施例を下記の如く詳細に説明する。
図１と図２に示すように、本考案の一実施例によるオーディオコンセントの改良構造は、当該コンセントが絶縁本体１０、数個の電気端子２１、電気端子２２、電気端子２３、電気端子２４、封じ板２０及び金属ケース３０で構成されている。当該絶縁本体１０の基本部は、矩形体を呈して、当該基本部の前端には円柱筒形の対接部１１を凸設して、しかも対接部１１の中空孔１１１は矩形体の内部で相互に貫通して、同時に矩形体内の数個の挿溝と連通している。基本部矩形体の一側壁面には挿溝１２が設けられて、当該挿溝１２は封じ板２０をその中に設置させている。当該基本部矩形体の末端面１３は、傾斜態様の設計（図３を参照）を呈して、即ち、当該矩形体は長さが異なる両対応壁面及び比較的に長い側の対応壁面から比較的に短い側の対応壁面に連接する両傾斜側壁面を有して、四つの壁面は相互に連接して成形されている。当該矩形体の末端面１３は、内部へ向かって凹入して、それぞれ第一挿溝１３１、第二挿溝１３２、第三挿溝１３３及び第四挿溝１３４を形成して、当該第一挿溝１３１、第二挿溝１３２の頂端におのおの限位孔（Restraint hole）１３１１（図４を参照）を設けて、これらの限位孔（Restraint hole）１３１１はそれぞれ第一端子２１、第二端子２２の自由頂端を合わせて、それによって、当該コンセントが対応するプラグ装置と接続する時の予定された圧力（Predetermined Pressure）或いは正向力（normal force）を増加する。
【０００８】
当該電気端子組は、数個の異なる態様の電気端子で構成されている。その中、第一端子２１は絶縁本体１０の第一挿溝１３１から組み立てて、この時、第一端子２１の自由頂端２１１は第一挿溝１３１の限位孔（Restraint hole）１３１１の範囲内（図示しないが、図４を参照）で押し動く。当該第二端子２２は、第二挿溝１３２に組み立てている。当該第二端子２２の自由頂端２１１は、第二挿溝１３２の限位孔（Restraint hole）１３１１に組み立てて、しかも第一端子２１の設置態様と同様で、第二挿溝１３２の限位孔（Restraint hole）１３１１に押し動かして、これらの構造による第一端子２１、第二端子２２の自由頂端はそれぞれの限位孔（Restraint hole）１３１１と合わせる時、有効に当該コンセントが対応するプラグ装置と接続する時の予定された圧力（Predetermined Pressure）或いは正向力（normal force）を増加する。当該第三端子２３は、第四端子２４とスイッチ端子組と組み立てて、それはそれぞれ絶縁本体１０の第三挿溝１３３及び第四挿溝１３４に組み立てられている。当該組み立てた後の第一端子、第二端子、第三端子、第四端子の差込脚片２１２、差込脚片２２２、差込脚片２３１、差込脚片２４１は、絶縁本体１０の傾斜態様の末端面１３を合わせるために、同じ方向へ少々の角度で曲がって、それによって、便利に基板（ＰＣＢ）（図５と図６に示すように）に接続できる。
【０００９】
当該金属ケース３０は、金属板材でパンチング成形（punching & forming）された枠体の構造であって、絶縁本体１０の基本部矩形体の枠体構造につないで、枠体の末端３１は絶縁本体の末端面と同じ傾斜態様を呈して、即ち、当該枠体は長さが異なる両対応壁面及び比較的に長い側の対応壁面から比較的に短い側の対応壁面に連接する両傾斜側壁面を有して、四つの壁面は相互に連接して成形されている（図３を参照）。当該枠体の長さが異なる両対応壁面の末端１３に数個のケースの脚片３２を突出して、当該ケースの脚片３２はコンセント末端の傾斜面に沿って同じ方向へ少々の角度で曲がって、それによって、便利に基板（ＰＣＢ）に接続できる。
基板（ＰＣＢ）は平面であるため、本考案のオーディオコンセントは、差し込まれた後、すべての端子と枠体の差込脚片は基板（ＰＣＢ）と正向となって接続して、従って、差し込まれた後、オーディオコンセントは、ケースの脚片が一方向へ少々の角度で曲がるため、差し込んだオーディオコンセントを傾斜態様に呈させて、これは本考案の特徴である。
【図面の簡単な説明】
【００１０】
【図１】本考案の一実施例によるオーディオコンセントの改良構造を示す分解斜視図である。
【図２】本考案の一実施例によるオーディオコンセントの改良構造を示す分解斜視図である。
【図３】本考案の一実施例によるオーディオコンセントの改良構造を示す平面図である。
【図４】本考案の一実施例によるオーディオコンセントの改良構造を示す断面図である。
【図５】本考案の一実施例によるオーディオコンセントの改良構造を示す斜視図である。
【図６】本考案の他の実施例によるオーディオコンセントの改良構造を示す斜視図である。
【符号の説明】
【００１１】
１０  絶縁本体、１１  対接部、１２  挿溝、１３  末端面、２０  封じ板、２１  第一端子、２２  第二端子、２３  第三端子、２４  第四端子、３０  金属ケース、３１  末端、３２  ケースの脚片、１１１  中空孔、１３１  第一挿溝、１３２  第二挿溝、１３３  第三挿溝、１３４  第四挿溝、２１１  自由頂端、２１２  第一差込脚片、２２１  自由頂端、２２２  第二差込脚片、２３１  第三差込脚片、２４１  第四差込脚片、１３１１  限位孔（Restraint hole）
【図１】
0003126425.tif 000003
【図２】
0003126425.tif 000004
【図３】
0003126425.tif 000005
【図４】
0003126425.tif 000006
【図５】
0003126425.tif 000007
【図６】
0003126425.tif 000008